(57)【特許請求の範囲】
【請求項１】
磁気記録媒体が収納される複数の磁気記録媒体収納ポケットを備えた回転テーブルと、
該回転テーブルの複数の磁気記録媒体収納ポケットに前記磁気記録媒体を投入する磁気記録媒体投入部と、
前記回転テーブルの外周近傍に設けられ、前記回転テーブルの外周面に歯合するギアを介して、前記回転テーブルを回転駆動させる駆動モータと、
前記回転テーブルの回転に従って搬送される前記磁気記録媒体の磁気データを消去する永久磁石を使用した磁気回路と、
該磁気回路によってデータが消去された磁気記録媒体を排出する磁気記録媒体排出部と、
を備えたことを特徴とする磁気データ消去装置。
【請求項２】
前記磁気記録媒体は、ハードディスクであることを特徴とする請求項１に記載の磁気データ消去装置。
【請求項３】
前記回転テーブルの上下面には該回転テーブルと同じ円盤状であって、同じ大きさの非回転のテーブルが設けられ、前記下面の非回転のテーブルに設けられた開口を介してデータ消去後の磁気記録媒体が排出されることを特徴とする請求項１、又は２に記載の磁気データ消去装置。
【請求項４】
前記磁気記録媒体の投入口にはカメラが設けられ、装置に投入される磁気記録媒体を撮影し、管理情報を取得することを特徴とする請求項１、２、又は３に記載の磁気データ消去装置。
【請求項５】
前記磁気記録媒体排出部の近傍には印刷部が設けられ、該排出部から外部に排出される磁気記録媒体にデータ消去処理済の印字を行うことを特徴とする請求項１、２、３、又は４に記載の磁気データ消去装置。
【発明の詳細な説明】
【技術分野】
【０００１】
本発明は、磁気記録媒体に記録された磁気データを消去する磁気データ消去装置に関する。
【背景技術】
【０００２】
今日、磁気記録媒体として、例えば磁気ディスク装置（以下、ハードディスク（ＨＤＤ）で示す）が広く使用され、企業や個人で使用されたハードディスクを廃棄する場合、ハードディスクに記録された情報を第三者に知られないため、コンピュータに接続した状態でオペレーティングシステムからフォーマット処理を行い、磁気情報を消去している。しかし、上記消去方法では、ハードディスク内の磁気情報の配置等を管理する管理領域のみを消去し、実際の磁気情報はディスク上に残る。
【０００３】
そこで、例えば電磁石により強力な磁場を発生させ、この磁場内にハードディスクを通過させ、ハードディスクに記録されている情報を確実に消去する方法が行われている。しかし、電磁石は珪素鋼板等の強磁性体にコイルを巻装し、コンデンサにチャージした大きな電流をコイルに流して強力な磁場を発生させるため、コンデンサへのチャージに時間を要する。また、大きな電流をコイルに流すため、冷却時間も必要となり、例えば１回のデータ消去処理に数十秒以上の時間を要し、連続作業には不向きである。
【０００４】
この為、電磁石に代えて永久磁石を使用してハードディスク等の磁気記録媒体に記録された磁気データを消去する磁気データ消去装置が提案されている。
【０００５】
例えば、図４に示す特許文献１の発明は、永久磁石４２を使用した磁気データ消去装置の一例であり、ハードディスクや、フロッピーディスク、ＣＤ−Ｒ等の磁気記録媒体Ｂに記録された磁気データを消磁する処理室Ａを備え、この処理室Ａへの磁気記録媒体Ｂの搬入口及び搬出口には非磁性体であるステンレス製の扉４０及び４１が設けられている。
【０００６】
そして、ローダー（ベルトコンベア）５０によって搬送された磁気記録媒体Ｂを、扉４０を上方に開くことによって処理室Ａに搬入し、上下に設置された磁石４２によって磁気記録媒体Ｂに記録された磁気データを消去する。その後、磁気記録媒体Ｂはコンベア（ベルトコンベア）５１によって更に搬送し、上方に開いた扉４１を介して、アンローダー（ベルトコンベア）５２によって、収納箱６０に排出する。
【先行技術文献】
【特許文献】
【０００７】
【特許文献１】特開２００４―３０３２８４号公報
【発明の概要】
【発明が解決しようとする課題】
【０００８】
しかしながら、上記従来の磁気データ消去装置では、３台のベルトコンベア、即ちローダー５０、コンベア５１、及びアンローダー５２を使用して磁気記録媒体Ｂを搬送し、処理室Ａにおいて磁気データの消去処理を行う為、装置が大型化する。また、３台のベルトコンベアを駆動する為のモータ駆動機構を備える必要がある為、更に装置の重量も重くなる。さらに、磁石の隙間に安定的に磁気記録媒体Ｂを通過させることが難しく、例えば磁気記録媒体Ｂが装置内で詰まり、その都度メンテナンスが必要となる。
【０００９】
そこで、本発明は永久磁石を使用したハードディスク等の磁気記録媒体に記録されたデータを消去する磁気データ消去装置であって、装置を大型化することなく、コンパクトで軽量の磁気データ消去装置を提供するものである。また、連続してハードディスク等の磁気記録媒体のデータ消去を安定して行うことができ、磁気記録媒体のデータ消去作業を効率良く行うことができる。
【課題を解決するための手段】
【００１０】
上記課題は本発明によれば、磁気記録媒体を収納する複数の磁気記録媒体収納ポケットを備えた回転テーブルと、前記複数の磁気記録媒体収納ポケットに前記磁気記録媒体を投入する磁気記録媒体投入部と、前記回転テーブルの外周近傍に設けられ、前記回転テーブルの外周面に歯合するギアを介して、前記回転テーブルを回転駆動させる駆動モータと、前記回転テーブルの回転に従って搬送される前記磁気記録媒体の磁気データを消去する永久磁石を使用した磁気回路と、データが消去された磁気記録媒体を排出する磁気記録媒体排出部と、を備えた磁気データ消去装置を提供することによって達成できる。
【００１１】
また、上記磁気記録媒体は、例えばハードディスクであり、上記駆動モータは、例えば回転テーブルの外周近傍に設けられ、回転テーブルの外周面に歯合するギアを介して、回転テーブルを回転駆動させることを特徴とする。また、回転テーブルの上面及び下面には該回転テーブルと同じ円盤状であって、同じ大きさの非回転のテーブルが設けられ、下面の非回転のテーブルに設けられた開口を介してデータ消去後の磁気記録媒体が排出されることを特徴とする。
【００１２】
また、上記磁気記録媒体の投入口にはカメラが設けられ、装置に投入される磁気記録媒体を撮影し、管理情報を取得することを特徴とする。さらに、上記磁気記録媒体排出部の近傍には印刷部が設けられ、該排出部から外部に排出される磁気記録媒体にデータ消去処理済の印字を行うことを特徴とする。
【図面の簡単な説明】
【００１３】
【図１】本実施形態の磁気データ消去装置の外観図である。
【図２】本実施形態の磁気データ消去装置の内部構造を説明する図である。
【図３】磁気データ消去装置の投入口へのハードディスクの投入状態を説明する図である。
【図４】従来の磁気データ消去装置を説明する図である。
【発明を実施するための形態】
【００１４】
以下、本発明の実施形態を図面に基づいて詳細に説明する。
図１は本実施形態の磁気データ消去装置の外観図である。尚、同図に示す磁気データ消去装置は、例えば磁気記録媒体としてハードディスクのデータ消去の例を説明するものである。しかし、本発明の磁気データ消去装置はハードディスクに限らず、フロッピーディスクや、ＣＤ−ＲＯＭ，ＣＤ−Ｒ等の磁気記録媒体のデータ消去装置の発明であることは勿論である。
【００１５】
同図において、本例の磁気データ消去装置１０の正面にはハードディスクの外形に対応した形状のハードディスクの投入口１１が設けられ、データ消去が必要なハードディスク（ＨＤＤ）が投入される。また、この投入口１１の右側には動作ランプ１２が設けられ、投入口１１の左側には非常スイッチ１３が設けられている。尚、動作ランプ１２は、上記投入口１１からハードディスクを投入した後、操作するボタンでもあり、非常スイッチ１３は、装置の緊急停止ボタンである。
【００１６】
また、本例の磁気データ消去装置１０の正面段差部には、操作パネル１４、及びタッチパネル１５が設けられている。操作パネル１４は運転スイッチ（運転スイッチ）１４ａ、手動スイッチ（手動ＳＷ）１４ｂ、及び払出スイッチ（払出ＳＷ）１４ｃで構成されている。さらに、本例の磁気データ消去装置１０の左側面には電源スイッチ（電源ＳＷ）１６が設けられると共に、データ消去処理が行われたハードディスクの排出口１７が設けられている。
【００１７】
また、磁気データ消去装置１０の上面にはハンドル差込口１８が設けられ、例えば電源が使えない場合、このハンドル差込み口１８に不図示のハンドルを差し込み、手動で後述する回転テーブルを回転されることができる構造である。
尚、磁気データ消去装置１０の下面に設けられたアジャスター１９は、本体装置を設置する際の調整用である。
【００１８】
図２は本例の磁気データ消去装置１０の内部構造を説明する図である。
本例の磁気データ消去装置１０は、磁気データを消去する磁気回路２０、前述の投入口１１から投入されたハードディスクを収納するポケットが設けられた回転テーブル２１、駆動モータが収納された駆動モータユニット２２、磁気データが消去されたハードディスクを排出するＨＤＤ排出ユニット２３、及び上記各部を装置本体に取り付ける各種保持部材及び取付部材で構成されている。
【００１９】
回転テーブル２１は所定の厚さを備えたドーナツ形状であり、装置の小型化のため中心軸を持たず、外周面に歯合するギアを介して駆動モータの駆動力で回転する。回転テーブル２１の中心部には磁気回路２０の一部が配設される。
【００２０】
回転テーブル２１には１個又は複数のＨＤＤ搬送ポケット２７が設けられている。尚、本例の磁気データ消去装置１０は一定の間隔で４個のＨＤＤ搬送ポケット２７が設けられた例を説明する。このＨＤＤ搬送ポケット２７の深さ、即ち回転テーブル２１の厚さは、データ消去を行うハードディスクの厚さと略同じ厚さであり、後述する磁気回路２０への搬入時のガタツキや暴れを抑制する構成である。
【００２１】
また、回転テーブル２１上でのＨＤＤ搬送ポケット２７の配設位置は、投入口１１からのハードディスクの投入、待機、データ消去、ハードディスクの排出処理を効率良く行うことができる位置に配設されている。尚、サイズの異なるハードディスクのデータ消去を行う場合、ＨＤＤ搬送ポケット２７内の空間を埋めるため、専用のアタッチメントを挿入する。
【００２２】
また、上記回転テーブル２１は磁気回路２０によって励磁される強い磁界の中を通過するため、非磁性体であるステンレス（ＳＵＳ）や樹脂材料で構成されている。
【００２３】
一方、この回転テーブル２１の上下には所定の厚さを備えた外形の等しい固定テーブル（不図示）が設けられており、この固定テーブルも磁界の影響を防止するため、非磁性体であるステンレス（ＳＵＳ）や樹脂材料で構成されている。この上下の固定テーブルには、上記ＨＤＤ搬送ポケット２７内に収納されたハードディスクが搬送される際、ハードディスクの上下面が接触するため、特に滑らかに滑り易い材料、低摩擦性の材料が使用され、例えばテフロン（登録商標）加工等のコーティング処理が施されている。このように構成することによって、ＨＤＤ搬送ポケット２７に収納されたハードディスクを低トルクでスムーズに搬送することができる。
【００２４】
回転テーブル２１の回転駆動は駆動モータユニット２２内に設けられた不図示の駆動モータによって行われ、具体的には駆動モータに回転軸に直結する駆動ギアの回転力を、駆動ギアに歯合するアウターギアに伝達し、このアウターギアが回転テーブル２１の外周に形成されたギア２１ａに歯合することによって駆動する。尚、回転テーブル２１の外周には等間隔に４個の補助ローラ２８が設けられ、回転テーブル２１の円滑な回転を保持している。
【００２５】
磁気回路２０は前述のようのドーナツ状の回転テーブル２１の中心部を含み、矢印方向に回転する回転テーブル２１の一部（以下、Ａ部で示す）を覆う構造であり、内部に永久磁石が配設され、回転テーブル２１のＡ部にループ磁界を形成する磁気回路を構成している。例えば、図２の磁気回路２０の上部と下部に夫々永久磁石を配設し、この上下の永久磁石を珪素鋼板や珪素鋼帯等の磁性材料に取り付け、回転テーブル２１のＡ部にループ磁界を生成する。
【００２６】
ＨＤＤ排出ユニット２３は、本例の磁気データ消去装置１０の右側面に設けられ、回転テーブル２１の下面に設けられた不図示の開口から落下するハードディスクを外部に排出する構造である。
【００２７】
尚、上記磁気回路２０や、回転テーブル２１、駆動モータユニット２２は、磁気データ消去装置１０内の中間ベースプレート２９上に複数のスペーサを介して取り付けられており、この中間ベースプレート２９は複数の支柱３０によってベースプレート３１に取り付けられている。
【００２８】
以上の構成の磁気データ消去装置１０において、ハードディスクのデータ消去処理は以下のようにして行う。
先ず、図３に示すように、磁気データの消去を行うハードディスク３３を上記磁気データ消去装置１０の投入口１１に運び、投入口１１から回転テーブル２１のＨＤＤ搬送ポケット２７に投入する。そして、磁気データ消去装置１０に設けられた動作ランプ１２を押下し、駆動モータを駆動し、回転テーブル２１を図２に示す矢印方向に回転駆動させる。
【００２９】
駆動モータは、例えばステッピングモータであり、回転テーブル２１は１/４回転すると駆動を停止し、回転テーブル２１が１/４回転する毎に投入口１１からＨＤＤ搬送ポケット２７へのハードディスクの投入を繰り返す。ＨＤＤ搬送ポケット２７に投入されたハードディスク３３は、回転テーブル２１の回転に従って順次磁気回路２０の位置に搬送される。
【００３０】
磁気回路２０には永久磁石によって前述のループ磁界が形成されており、磁気回路２０によって形成されたＡ部をＨＤＤ搬送ポケット２７に投入されたハードディスク３３が通過すると、強い磁界によってハードディスク３３の磁気データが消去される。この時、前述のようにＨＤＤ搬送ポケット２７に投入されたハードディスクは上下の低摩擦性の固定テーブルに接して滑らかに搬送され、ガタツキや暴れが無く、確実なデータ消去処理が行われる。
【００３１】
その後、データ消去が行われたハードディスクは回転テーブル２１の回転に従って、回転テーブル２１の下面の固定テーブルに設けられた開口からＨＤＤ排出ユニット２３を介して外部に排出される。
【００３２】
以上のように、本例の磁気データ消去装置１０によれば、ＨＤＤ搬送ポケット２７に投入されたハードディスクは上下の低摩擦性の固定テーブルに接して滑らかに回転搬送され、ガタツキや暴れが無く、確実にデータ消去を行うことができる。また、回転テーブル２１の外周に歯合する小型のアウターギアによって回転テーブル２１を駆動することで、例えば中心に駆動モータを使用して回転テーブル２１を回転させる場合に比べて、遥かに小さなトルクで回転テーブル２１を回転させることができる。
【００３３】
また、本例の磁気データ消去装置１０は回転テーブル２１の中心に磁気回路２０の一部を形成することによって、閉ループの磁気回路２０を回転テーブル２１の一部（Ａ部）を覆って形成でき、効率良くデータ消去を行うことができると共に、装置を小型化することができる。特に、回転テーブル２１にＨＤＤ搬送ポケット２７を設け、ハードディスクを回転移動させて磁気回路２０に搬送する構成であり、従来のベルトコンベア方式に比べて装置を小型化することができる。また、ベルトコンベアを駆動するための大型なモータも不要であり、装置の軽量化を図ることもできる。
【００３４】
また、本例の磁気データ消去装置１０の各構成部品は全て分割可能であり、例えば回転テーブル２１は磁気回路２０を挟んで合体させることで、組み立ても容易であり、ドーナツ形状の回転テーブル２１の組み立ても可能となる。
【００３５】
また、本例の磁気データ消去装置１０によれば、電源が使えない場合でも、ハンドル差込み口１８に不図示のハンドルを差し込み、手動で回転テーブル２１を回転されることができる。但し、この場合、逆起電力の発生を防止する為、電源回路を遮断する。
【００３６】
以上、本発明の磁気データ消去装置１０の説明を行ったが、本発明は上記実施例に限定されるものではなく、例えばロボットを使用し、ＨＤＤ搬送ポケット２７にハードディスクを投入し、人手を使うことなく、自動的にＨＤＤ搬送ポケット２７へのハードディスクの投入を連続して行うこともできる。
【００３７】
この場合、更にロボット、又はＨＤＤ搬送ポケット２７にカメラを取り付け、例えば製品ラベルの情報を読み取ることによって、消去対象製品の情報を収集し、対象可否の判別、排出作業の管理を、例えばネットワークを通じて行うことができる。
【００３８】
また、前述のＨＤＤ排出ユニット２３に小型のレーザプリンタやインクジェットプリンタを取り付けることによって、排出されるハードディスクにデータ消去処理済等の印字を行い、データ消去済みのハードディスクを明確にして、データ消去作業を確実に行うこともできる。
【００３９】
尚、上記実施形態によれば、磁気記録媒体としてハードディスクのデータ消去処理について説明したが、本発明はフロッピーディスクや、ＣＤ−ＲＯＭ、ＣＤ−Ｒ等の磁気記録媒体についても同様に適用できることは勿論である。この場合、回転テーブル２１に設けるＨＤＤ搬送ポケット２７の形状は対象となる磁気記録媒体の形状に対応した形状とする。
【符号の説明】
【００４０】
１０・・磁気データ消去装置
１１・・投入口
１２・・動作ランプ
１３・・非常スイッチ
１４・・操作パネル
１４ａ・・運転スイッチ（運転ＳＷ）
１４ｂ・・手動スイッチ（手動ＳＷ）
１４ｃ・・払出スイッチ（払出ＳＷ）
１５・・タッチパネル
１６・・電源スイッチ（電源ＳＷ）
１７・・ハードディスクの排出口
１８・・ハンドル差込口
１９・・アジャスター
２０・・磁気回路
２１・・回転テーブル
２１ａ・・ギア
２２・・駆動モータユニット
２３・・ＨＤＤ排出ユニット
２７・・ＨＤＤ搬送ポケット
２８・・補助ローラ
２９・・中間ベースプレート
３０・・支柱
３１・・ベースプレート
３３・・ハードディスク
【要約】
【課題】  本発明は永久磁石を使用したハードディスク等の磁気記録媒体に記録された磁気データを消去する磁気データ消去装置であって、装置を大型化することなく、コンパクトで軽量の磁気データ消去装置を提供するものである。
【解決手段】  磁気記録媒体に記録された磁気データを消去する磁気データ消去装置であって、磁気記録媒体が収納される複数の磁気記録媒体収納ポケットを備えた回転テーブルと、該回転テーブルの複数の磁気記録媒体収納ポケットに磁気記録媒体を投入する磁気記録媒体投入部と、上記回転テーブルを回転駆動させる駆動モータと、上記回転テーブルの回転に従って搬送される前記磁気記録媒体の磁気データを消去する永久磁石を使用した磁気回路と、データが消去された磁気記録媒体を排出する磁気記録媒体排出部と、を備え磁気データ消去装置を提供するものである。
【選択図】  図１【図１】
0006684382.tif 000002
【図２】
0006684382.tif 000003
【図３】
0006684382.tif 000004
【図４】
0006684382.tif 000005